(57)【要約】【課題】  一旦画面などの表示手段に捕らえた物体について、その物体を対象物として特定することにより、その物体が画面から外れた後に、その物体が画面のどの方角に存在しているかを画面に表示するようにした撮影装置を提供すること。【解決手段】  撮影手段１と、撮影画像の表示手段２と、前記表示手段２の画像に基づき撮影画像中で対象物を指定する対象物指定手段３と、指定された前記対象物についての位置を取得する対象物位置取得手段４と、撮影装置の位置を取得する撮影装置位置取得手段５と、前記対象物の位置を前記表示手段に示す対象物位置指示手段６とから構成した。【選択図】  図１
2009224890.tif 000002
【特許請求の範囲】
【請求項１】
撮影手段と、
撮影画像の表示手段と、
前記表示手段の画像に基づき撮影画像中で対象物を指定する対象物指定手段と、
指定された前記対象物についての位置を取得する対象物位置取得手段と、
撮影装置の位置を取得する撮影装置位置取得手段と、
前記対象物の位置を前記表示手段に示す対象物位置指示手段と、
を備えることを特徴とする撮影装置。
【請求項２】
前記撮影装置位置取得手段により取得した撮影装置の位置を更新する位置更新手段を備えることを特徴とする請求項１に記載の撮影装置。
【請求項３】
請求項１又は請求項２の撮影装置を備えるとともに、
前記対象物ついての情報を検索する対象物検索手段と、
前記対象物の情報を表示する対象物情報表示手段を、
備えることを特徴とする携帯情報端末。
【発明の詳細な説明】
【技術分野】
【０００１】
本発明は、撮影装置や携帯情報端末において、画面などの表示手段に捕らえた物体について、その物体を対象物として特定することにより、その物体が画面から外れた後に、その物体が画面のどの方角に存在しているかを画面に表示するようにしたものである。
【背景技術】
【０００２】
望遠レンズで目標物を捕らえる場合、高倍率にすると視野が狭くなり目標物を見つけ出すのが困難であるとともに、一端捕らえた目標物がすぐにファインダー外となってしまうことがある。また、望遠レンズを使用するカメラの場合、撮影範囲が狭いので、異なる撮影位置から同じ対象物を撮影しようとすると、ファインダー（液晶画面）を見たままでは対象物を見つけることが困難である。そこで、特許文献１や２に示されるように目標物を捕らえ易くするように工夫した望遠レンズがある。
【特許文献１】特開２００５−２８３７１９号公報
【特許文献２】特開２００３−２４１０５７号公報
【発明の開示】
【発明が解決しようとする課題】
【０００３】
しかし、上記特許文献１や２に示されるものにあっては、最初に目標物を捕らえるためには便利かもしれないが、一端捕らえた目標物がファインダー外となってしまった場合には、その目標物を再度捕らえるためには最初と同じようにする必要があり、その高倍率を保ったままで目標物を捜すことはできない。
【０００４】
また、望遠レンズに限らず例えば移動しながら撮影や観察をしている場合、移動前に見えていたものを移動後に捜そうとする場合、それがどの方角にあるかがわかれば、再度その目標物を捜すのに便利である。
【０００５】
さらに、その特定した目標物がどのようなものであるかという情報がその場で得ることができれば便利である。
【０００６】
本発明は、このような課題に鑑みてなされたものであり、その目的とするところは、一端捕らえた物体を再度捕らえ易くするために、特定した物体については画面やファインダーにその物体が今見えている画像からどちらの位置に存在しているかを表示し、目標物を再度簡単に捕らえることができるようにした撮影装置及び携帯情報端末を提供することである。
【課題を解決するための手段】
【０００７】
上記の目的を達成するために、本発明の撮影装置は撮影手段と、撮影画像の表示手段と、前記表示手段の画像に基づき撮影画像中で対象物を指定する対象物指定手段と、指定された前記対象物についての位置を取得する対象物位置取得手段と、撮影装置の位置を取得する撮影装置位置取得手段と、前記対象物の位置を前記表示手段に示す対象物位置指示手段と、を備えたものである。
【０００８】
また、本発明の撮影装置においては、前記撮影装置位置取得手段により取得した撮影装置の位置を更新する位置更新手段を備えることが好ましい。
【０００９】
また、本発明の携帯情報端末は、上記撮影装置を備えるとともに、前記対象物ついての情報を検索する対象物検索手段と、前記対象物の情報を表示する対象物情報表示手段を、備えたものである。
【発明の効果】
【００１０】
一旦捕らえた目標物を表示画面において対象物として指定するだけで、その後観察者が移動しても表示画面にその目標物の位置が表示されるので、観察範囲から目標物が外れても目標物の存在する方向が表示画面を通して感覚的に認識できることになり、目標物を簡単に再度見つけることができる。
【発明を実施するための最良の形態】
【００１１】
本発明の撮影装置の一実施例を、図１の構成を示すブロック図に基づいて説明する。
本発明の撮影装置は、撮影手段１と、撮影画像の表示手段２と、表示手段２の画像に基づき撮影画像中で対象物を指定する対象物指定手段３と、指定された対象物についての位置を取得する対象物位置取得手段４と、撮影装置の位置を取得する撮影装置位置取得手段５と、対象物の位置を表示手段２に示す対象物位置指示手段６とから構成される。
【００１２】
撮影手段１は、レンズを通して画像を撮影するものならばどのようなものでもよい。なお、レンズとしては望遠レンズやズームレンズを使用するものを基本的には対象としているが、これらのレンズに限るものではない。
【００１３】
表示手段２は、液晶画面であってもよく、あるいはレンズを通した像をそのまま視認できるファインダーであってもよい。
【００１４】
対象物指定手段３は、表示手段２に表示された像のうち対象物として指定したい像を特定して指定するためのものであり、例えば液晶画面をタッチパネル式としておき、液晶画面に表示された像についてその像の部分をタッチすることによりその像が対象物として指定されるようにする。あるいは、液晶画面に画面中の位置を指示できるカーソルを用意し、そのカーソルを動かすことにより、液晶画面中の特定の位置を指定できるようにしてもよい。
【００１５】
対象物位置取得手段４は、ジャイロと距離測定手段により構成し、撮影装置からのＸ−ＹーＺ方向の方角と距離を計測することにより、撮影装置から見た対象物の方角と距離から対象物の位置を取得する。距離測定手段としては、例えばカメラで使用されている各種ＡＦによる距離測定方法が採用できる。
【００１６】
撮影装置位置取得手段５は、例えばＧＰＳを利用し、撮影装置がある位置を二次元又は三次元で特定する。通常は二次元の位置取得で間に合うが、起伏の大きい場所で使用する場合は、三次元で位置を取得できた方がより正確さが増す。
【００１７】
対象物位置指示手段６は、対象物指定手段３により指定された対象物が表示手段２となる液晶画面中に表示されていない場合、液晶画面のどの方向にあるかを例えば矢印で指し示して表示するものである。例えば、表示画面よりちょっとずれている場合には小さな矢印で表示し、大きく離れている場合には大きな矢印で表示したりする。
【００１８】
次に、本発明のより具体的な実施形態について説明する。
第一実施形態
本発明の第一実施形態にかかる携帯情報端末の例を、図２〜図５に基づいて説明する。図２は携帯情報端末の構成を示すブロック図であり、図３携帯情報端末の表示手段２となる液晶画面の一例を示したイメージであり、図４は液晶画面での対象物の指示の一例を示した説明図であり、図５は本発明の原理を示す説明図である。
【００１９】
本発明の携帯情報端末は、上記した撮影装置を構成するところの撮影手段１、撮影画像の表示手段２、表示手段２の画像に基づき撮影画像中で対象物を指定する対象物指定手段３、指定された対象物についての位置を取得する対象物位置取得手段４、撮影装置の位置を取得する撮影装置位置取得手段５、対象物の位置を表示手段２に示す対象物位置指示手段６、及び対象物についての情報を検索する対象物検索手段７と対象物の情報を表示する対象物情報表示手段８とから構成される。
【００２０】
撮影手段１は、レンズを通して画像を撮影するものならばどのようなものでもよいが、例えば光信号を電気信号に変換する撮像素子を有し、光学系を通して対象物のデジタル画像を撮影できるものを用いる。なお、レンズとしては望遠レンズやズームレンズを使用するものを基本的には対象としているが、これらのレンズに限るものではない。
【００２１】
表示手段２は、撮影手段１で撮影する画像を表示するものであり、例えば液晶画面を用いる。
【００２２】
対象物指定手段３は、表示手段２に表示された像のうち対象物として指定したい像を特定して指定するためのものであり、例えば液晶画面をタッチパネル式としておき、液晶画面に表示された像についてその像の部分をタッチすることによりその像が対象物として指定されるようにする。
【００２３】
対象物位置取得手段４は、ジャイロと距離測定手段により構成し、携帯情報端末からのＸ−ＹーＺ方向の方角と距離を計測することにより、携帯情報端末から見た対象物の方角と距離から対象物の位置を取得する。距離測定手段としては、例えばカメラで使用されている各種ＡＦによる距離測定方法が採用できる。
【００２４】
撮影装置位置取得手段５は、例えばＧＰＳを利用し、携帯情報端末がある位置を二次元又は三次元で特定する。通常は二次元の位置取得で間に合うが、起伏の大きい場所で使用する場合は、三次元で位置を取得できた方がより正確さが増す。
【００２５】
対象物位置指示手段６は、対象物指定手段３により指定された対象物が表示手段２となる液晶画面中に表示されていない場合、液晶画面のどの方向にあるかを例えば矢印で指し示して表示するものである。例えば、表示画面よりちょっとずれている場合には小さな矢印で表示し、大きく離れている場合には大きな矢印で表示したりする。
【００２６】
対象物検索手段７は、対象物指定手段３で指定された対象物について、本体に直接接続したデータベースにアクセスし、又は本体外にあるデータベースに通信装置を介してアクセスし、指定された対象物についての情報を検索する。
【００２７】
対象物情報表示手段８は、対象物検索手段７により検索した情報を表示画面に表示するものであり、表示画面としては前記表示手段２の液晶画面と同じものを使用してもよく、あるいは別の液晶画面を使用するようにしてもよい。
【００２８】
次に本発明の携帯情報端末の表示手段２となる表示画面を図３に基づいて説明する。表示手段２として図３に示すように液晶画面９を備えている。また、液晶画面９は対象物情報表示手段９としても機能する。図示した液晶画面９は動物園での撮影画像の一例を示したものであり、遠景には象が、中央左にはカバが、右下には蝶が、そして左下にはへびが写っている。
【００２９】
この液晶画面９において、「へび」の像部分をタッチすると対象物指定手段３により、へびが対象物として指定される。すると、前記対象物についての情報を検索する対象物検索手段７により、タッチして特定した対象物がへびであることが特定され、対象物情報表示手段８ともなる液晶画面９のその特定された画像の部分に「へび」と表示される。
【００３０】
あるいは、対象物情報表示手段９となる表示画面を表示手段２の液晶画面９とは別途設け、この表示画面に前記対象物の情報を表示するようにしてもよい。
【００３１】
なお、対象物検索手段７が検索する各種情報を保有しているデータベースは携帯情報端末本体に直接接続してもよく、あるいは携帯情報端末に通信機能を設け、携帯情報端末からこの通信機能を介してデータベースにアクセスするようにしてもよい。
【００３２】
そして、へびを対象物として指定した後に画面にへびが写るようにしながら撮影手段１のレンズの倍率を上げていくと、図４（Ａ）に示すようにへびの全身が画面に表示されている場合には、へびの画像に重ねて「へび」と表示される。そして、画面からへびが少しずれた場合は、図４（Ｂ）に示すようにへびの部分画像の横にへびの位置を示す矢印とともに「へび」と画面に表示される。さらに、画面に全くへびが写らなくなった場合は、図４（Ｃ）に示すようにへびが写る方向を矢印で表示するとともに「へび」と画面に表示される。
【００３３】
次に、指定した対象物の位置が画面に表示される原理を図５に基づいて説明する。
先ず、観察者が本発明の携帯情報端末を持ちＡ方向で液晶画面９にへびを写し、これを対象物指定手段３により対象物として特定する。
【００３４】
すると、対象物位置取得手段４により携帯情報端末からの対象物に対する方角と距離が計測され記憶される。また、撮影装置位置取得手段５により携帯情報端末のその時の地球上での位置が取得される。これにより、対象物の地球上での位置も特定されることになる。よって、対象物が動かない限りは、対象物の絶対位置が特定されたことになる。
【００３５】
ここで、携帯情報端末を図４のＢ方向へ動かすと、液晶画面９にへびは写らなくなる。しかし、対象物であるところのへびの絶対位置はわかっているので、液晶画面９にはへびがいる方向を矢印で指し示すことが可能となるのである。そこで、液晶画面９には、「へび」の文字表示とともにへびがいる方向が矢印で示されることになる。
【００３６】
第二実施形態
本発明の第二実施形態にかかる携帯情報端末の例を、図６に基づいて説明する。図６は携帯情報端末で星座の観測をした場合の液晶画面での対象物の指示の一例を示した説明図である。
【００３７】
第二実施形態の携帯情報端末は、基本的構成は上記第一実施形態のものと同じである。なお、天体観測に使用することを目的としているので、データベースには星座に関する情報を有している。また、撮影装置位置取得手段５は、例えばＧＰＳを利用して行うが、ＧＰＳは位置情報とともに時間情報も取得可能であり、位置情報取得時に時間情報も取得することにより、星座に関するデータベースとの照合制度を高めることができる。観測地点の位置と観測方向及び観測日時が特定されれば、その位置でそのとき観測可能な星座をデータベースから抽出可能となる。
【００３８】
ここで、携帯情報端末で星空を撮影し、例えば液晶画面９に図６（Ａ）に示す画像を表示させる。この液晶画面９において、中央の柄杓状の部分をタッチすると対象物指定手段３により、その柄杓状の部分が対象物として指定される。すると、前記対象物についての情報を検索する対象物検索手段７が星座に関する情報を有しているデータベースにアクセスし、タッチして特定した対象物が北斗七星であることが特定され、対象物情報表示手段８ともなる液晶画面９のその特定された画像の付近に「北斗七星」と表示される。
【００３９】
そして、北斗七星を対象物として指定した後に、北極星を探すために携帯情報端末の撮像角度を徐々に下げていくと、液晶画面９に北斗七星は表示されなくなるが、図６（Ｂ）に示すように北斗七星の存在する方向が「北斗七星」の表示とともに矢印で示される。そして、北極星を捉えたところでこれをタッチすると対象物指定手段３によりその星が対象物として指定される。すると、前記対象物についての情報を検索する対象物検索手段７が星座に関する情報を有しているデータベースにアクセスし、タッチして特定した対象物が北極星であることが特定され、対象物情報表示手段８ともなる液晶画面９のその特定された画像の付近に「北極星」と表示される。
【００４０】
なお、新たな対象物を指定するたびにそれ以前の対象物の指定は自動的に解除するようにしてもよいが、図示したように二つ以上の対象物を同時に表示するようにしてもよい。この場合は、対象物ごとに対象物解除の指定ができるようにする。星座を探すような場合には、基準となる星座の方角がわかると、他の星座を探しやすいこともあるので、複数の対象物の方角を同時に表示できるようにしておくと便利である。
【００４１】
第三実施形態
本発明の第三実施形態にかかる携帯情報端末の例を、図７に基づいて説明する。図７は携帯情報端末の構成を示すブロック図である。
【００４２】
第三実施形態の携帯情報端末は、基本的には上記した第一実施形態と同じであり、撮影装置を構成するところの撮影手段１、撮影画像の表示手段２、表示手段２の画像に基づき撮影画像中で対象物を指定する対象物指定手段３、指定された対象物についての位置を取得する対象物位置取得手段４、撮影装置の位置を取得する撮影装置位置取得手段５、対象物の位置を表示手段２に示す対象物位置指示手段６、及び対象物についての情報を検索する対象物検索手段７と対象物の情報を表示する対象物情報表示手段８とから構成される。
【００４３】
また、撮影装置の位置情報を更新する位置情報更新手段１０を有する。上記した第一実施形態は、携帯情報端末の位置情報は新たな対象物を指定するまで変更されない。すなわち、携帯情報端末は撮像位置を移動しないことを前提としている。したがって、携帯情報端末の位置情報は、新たな対象物が指定されなければ更新されない。本実施形態の場合は新たに対象物を指定しなくても、携帯情報端末を移動させて使用する場合、携帯情報端末の位置情報を更新することにより、移動後の位置から見た対象物の位置を表示できることとなる。
【００４４】
位置情報更新手段１０としては例えばレリーズボタンがその機能を発揮するようにする。レリーズボタンを押したり、あるいは半押ししたときに、携帯情報端末の位置情報が更新されるようにする。なお、位置情報更新手段１０はレリーズボタンに限るものではなく、他のボタンやスイッチでもよい。
【００４５】
レリーズボタンを押すたびに携帯情報端末の位置情報は更新される。一方、対象物の位置は最初に対象物を指定した段階で特定されている。したがって新たに取得した携帯情報端末の位置情報と、元々特定されている対象物の位置情報に基づき、対象物の位置が矢印で表示されることとなる。
【００４６】
第一実施形態では常時対象物の位置が表示画面に表示されるのに対し、本実施形態ではレリーズボタンを押したときだけ携帯情報端末の位置情報が新たに取得されることにより、対象物の位置が表示される。すなわち、レリーズボタンを押すと、撮影装置位置取得手段５により、レリーズボタンを押した位置における携帯情報端末の位置情報が取得されることにより、移動後のその位置における対象物の位置表示が可能となるのである。
【図面の簡単な説明】
【００４７】
【図１】本発明の撮影装置の構成を示すブロック図である。
【図２】本発明の携帯情報端末の構成を示すブロック図である。
【図３】本発明の携帯情報端末の液晶画面のイメージ図である。
【図４】本発明の携帯情報端末の対象物の指示の一例を示す説明図である。
【図５】本発明の撮影装置の原理を示す説明図である。
【図６】本発明の携帯情報端末の対象物の指示の他例を示す説明図である。
【図７】本発明の携帯情報端末の構成の他例を示すブロック図である。
【符号の説明】
【００４８】
１      撮影手段
２      表示手段
３      対象物指定手段
４      対象物位置取得手段
５      撮影装置位置取得手段
６      対象物位置指示手段
７      対象物検索手段
８      対象物情報表示手段
９      液晶画面
１０      位置情報更新手段
【図１】
2009224890.tif 000003
【図２】
2009224890.tif 000004
【図３】
2009224890.tif 000005
【図４】
2009224890.tif 000006
【図５】
2009224890.tif 000007
【図６】
2009224890.tif 000008
【図７】
2009224890.tif 000009